(57)【要約】【課題】  電解電圧を低く抑えると共に排水量を少なくしても所望のｐＨ値とした電解水を効率良く提供することのできる電解水生成装置を提供する。【解決手段】  陰極１と、陰極１に対して所定距離を置いて対向配置された陽極２と、陰極１と陽極２の間に設けられた隔膜３と、陰極１と隔膜３との間に設けられ、原水を入口から出口へと流通させる陰極流路６とを備え、陰極１と陽極２間に電圧を印加して電解水を生成する電解水生成装置であって、隔膜３を陽極２に近接配置してこれら隔膜３と陽極２間に流路幅の狭い通水路７を設け、陰極流路６を流れる原水の一部を隔膜３を通過させ、陽極２表面で生成された水素イオンと共に前記原水の一部を、通水路７を通して系外へと排水させる。【選択図】      図１
2007090147.tif 000002
【特許請求の範囲】
【請求項１】
陰極と、前記陰極に対して所定距離を置いて対向配置された陽極と、前記陰極と前記陽極の間に設けられた隔膜と、前記陰極と前記隔膜との間に設けられ、原水を入口から出口へと流通させる陰極流路とを備え、前記陰極と前記陽極間に電圧を印加して電解水を生成する電解水生成装置であって、
前記隔膜を前記陽極に近接配置してこれら隔膜と陽極間に流路幅の狭い通水路を設け、前記陰極流路を流れる原水の一部を前記隔膜を通過させ、前記陽極表面で生成された水素イオンと共に前記原水の一部を、前記通水路を通して系外へと排水させる
ことを特徴とする電解水生成装置。
【請求項２】
陽極と、前記陽極に対して所定距離を置いて対向配置された陰極と、前記陽極と前記陰極の間に設けられた隔膜と、前記陽極と前記隔膜との間に設けられ、原水を入口から出口へと流通させる陽極流路とを備え、前記陽極と前記陰極間に電圧を印加して電解水を生成する電解水生成装置であって、
前記隔膜を前記陰極に近接配置してこれら隔膜と陰極間に流路幅の狭い通水路を設け、前記陽極流路を流れる原水の一部を前記隔膜を通過させ、前記陰極表面で生成された水酸化物イオンと共に前記原水の一部を、前記通水路を通して系外へと排水させる
ことを特徴とする電解水生成装置。
【請求項３】
請求項１または請求項２に記載の電解水生成装置であって、
前記陰極流路または前記陽極流路の入口或いは出口に、陰極流路内または陽極流路内を流れる原水の流量を調整する流量調整手段を設け、この流量調整手段によって流路内の内圧を制御して、前記通水路から排水される排水量を調整する
ことを特徴とする電解水生成装置。
【請求項４】
請求項３に記載の電解水生成装置であって、
前記通水路から排水される量を検出する排水量検出手段と、
排水量をモニターし、その測定値に応じて前記流量調整手段を制御して流路内の内圧を制御する調整部とを備えた
ことを特徴とする電解水生成装置。
【請求項５】
請求項１から請求項４の何れか一つに記載の電解水生成装置であって、
前記隔膜に近接配置された陽極または陰極を通水性を有した電極構造とすると共に、前記陽極または陰極の前記隔膜との対向面と反対側に排水路を設け、前記隔膜を通過した原水の一部を前記通水路を介し、さらに前記陽極または陰極を通過させて前記排水路へと排水させる
ことを特徴とする電解水生成装置。
【請求項６】
請求項５に記載の電解水生成装置であって、
前記隔膜に近接配置された陽極または陰極の裏面に、通水性の導電性剛性部材を重ねて設けた
ことを特徴とする電解水生成装置。
【請求項７】
請求項１から請求項６の何れか一つに記載の電解水生成装置であって、
少なくとも前記通水路に原水を流通させる入水管と配水管を設けた
ことを特徴とする電解水生成装置。
【請求項８】
請求項１から請求項６の何れか一つに記載の電解水生成装置であって、
前記陰極流路または前記陽極流路の出口から吐水された電解水の一部を、少なくとも前記通水路に供給する分岐管を設けた
ことを特徴とする電解水生成装置。
【発明の詳細な説明】
【技術分野】
【０００１】
本発明は、アルカリイオン整水器などに使用される電解水生成装置に関し、詳細には、所望するｐＨの電解水を低電圧且つ少排水量で生成する技術に関する。
【背景技術】
【０００２】
従来、電解槽を用いて水の電解を行う方法には、例えば特許文献１等に記載される技術があり、これらは水道水を直接、または水道水からの水を活性炭などの吸着浄化部や、中空糸膜等のろ材部を通過させ水中の不純物を取り除いた後、対向する陰陽電極とその間に不織布、イオン交換膜などを配置した構造を有する電解槽に導き入れ、電気的エネルギーの付加を行うことによりイオン種、ガス成分、活性種等の生成を行い水の改質を行う。
【０００３】
電解槽に用いられる膜には、不織布のような電気的に中性の膜が主に使用されるが、陽イオン交換膜や陰イオン交換膜のようにイオン種によっては膜の通過を阻害する膜も用いられる。
【０００４】
膜として中性膜を用いる目的は、水の電解により生じた水素イオン、水酸化物イオン等が水の拡散、水流により混じってしまい所望する電解水が得られないことを防止するためである。イオン交換膜を用いる目的は、さらに陽イオン、または陰イオンの移動をも防ぐことにより、さらに効率よく所望する生成水を得ることを目的とする。
【０００５】
水道水、河川水、井戸水等の電解質濃度の希薄な水の電解においては、電解電圧を下げるために、陽極と陰極の電極間距離を狭くすることが重要である。通常、一対の電極とその間に隔膜を挟むような電解槽の場合、電極間距離は小さくすればする程、良く、より電解電圧を下げることができる。
【０００６】
しかしながら実際には、電極間に水を流すために、ある程度の電極間距離を取る必要があり、水中のカルシウムなどの析出による水路詰まりも考慮すると陽極と陰極の距離は２ｍｍ〜１０ｍｍとなっており、中間に隔膜を設けるのが常である。
【０００７】
電極間距離を小さくするため、電極と隔膜を接触させた電解槽の構成としては、特許文献２等に記載される技術があり、どちらかまたは双方の電極と隔膜を接触して配列し、隔膜と接する面と反対側の電極表面に水を通過させて電解している。この場合には、隔膜に主にイオン交換膜を用い、水のｐＨを変化させないのが主たる目的である。
【特許文献１】特開昭５５−１８２２号公報
【特許文献２】特開２００３−２４５６６９号公報
【発明の開示】
【発明が解決しようとする課題】
【０００８】
また、陰極側からの吐水を利用するためには、陽極側からの排水量を極力減らすことが必要であり、陽極側からの吐水を利用するためには、陰極側からの排水量を極力減らすことが必要である。
【０００９】
例えば、陰極水（アルカリ水）を所望する時に、陽極側の排水量を減らすことは、陽極槽への入水量をコントロールすることにより達成することができる。しかしながら、陽極槽への入水量を極端に減らした場合には、水が陽極槽を通過する速度が下がるため、陽極槽での滞在時間が長くなる。すると、電解により生成される水素イオン濃度が陽極槽内で高くなり、隔膜を通過して陰極槽内へと入り込む水素イオンの割合が高くなる。これによって、陰極水（または陽極水）は、そのｐＨ上昇が低く抑えられてしまう。
【００１０】
そこで本発明は、このような従来の課題を解決するために、電解電圧を低く抑えると共に排水量を少なくしても所望のｐＨ値とした電解水を効率良く提供することのできる電解水生成装置を提供することを目的とする。
【課題を解決するための手段】
【００１１】
通常、一対の電極とその間に隔膜を設けた電解槽による水の電気分解反応では陽極表面で水の電解分解により水素イオンおよび酸素が発生し、陰極表面では水酸化物イオンおよび水素が発生する。結果として陽極側が水素イオンリッチな酸性酸素溶存水、陰極側が水酸化物イオンリッチなアルカリ性の溶存水素水になる。
【００１２】
ここで、陽極を隔膜と接触させ、隔膜のもう一方の面と陰極との間に水を通過させる構造を有した場合に電解をかけると、陰極では同じように水酸化物イオンおよび水素が発生する。陽極では膜を浸透してきた水がその膜と陽極との接触面近傍において電解反応を受け酸素と水素イオンを生成する。この時、陰極と隔膜の間だけに水の抵抗があり、電解電圧は小さくなる。しかし、陽極との接触面近傍では水が少ないため水素イオンの濃度が高く、膜を通過し陰極槽内に流入してしまい、陰極で発生した水酸化物イオンと互いに打ち消しあう結果となる。
【００１３】
これを防ぐため、陽極と隔膜を近接配置してこれらの間に流路幅の狭い通水路を設け、陰極流路側から隔膜を通過する水の流れを強制的に作り出す。つまり、隔膜と陽極との近接面近傍で生成される水素イオン濃度が上昇しないように、通水路を介して水素イオンを原水の一部と共に排水として系外に取り除く。
【００１４】
なお、陰極と隔膜を近接配置させた場合には、陽極流路側から隔膜を通過する水の流れを強制的に作り出し、隔膜と陰極との近接面近傍で生成される水酸化物イオン濃度が上昇しないように、通水路を介して水酸化物イオンを原水の一部と共に排水として系外に取り除く。
【００１５】
ここで、定義する陽極または陰極を隔膜に近接配置するとは、陽極または陰極と隔膜との間に約２ｍｍ以下程度の隙間を設けるということである。
【００１６】
隔膜に近接させる電極（陽極または陰極）に通水性を有する電極を用いた場合には、この通水性電極を通して水を排水することができ、隔膜と近接する電極から効率良く排水を除去することができる。
【発明の効果】
【００１７】
本発明によれば、隔膜を陽極に近接配置してこれら隔膜と陽極間に流路幅の狭い通水路を設けたことで、陰極流路から隔膜を通過する水の流れが生じ、その水の流れによって陽極表面で生成された水素イオンを通水路を介して系外へと排水させることができる。その結果、隔膜の両側でイオン濃度の差が無くなり、電解時に特異なイオン（水素イオン）のみが隔膜を行き来するのを防止することができ、陰極水のｐＨを効率良く変化させることができる。
【００１８】
また、本発明によれば、同様に、隔膜を陰極に近接配置してこれら隔膜と陰極間に流路幅の狭い通水路を設けたことで、陽極流路から隔膜を通過する水の流れが生じ、その水の流れによって陰極表面で生成された水酸化物イオンを通水路を介して系外へと排水することができる。その結果、隔膜の両側でイオン濃度の差が無くなり、電解時に特異なイオン（水酸化物イオン）のみが隔膜を行き来するのを防止することができ、陽極水のｐＨを効率良く変化させることができる。
【００１９】
したがって、本発明によれば、所望する陰極水または陽極水を、低電圧且つ少排水量で作成することができる。
【発明を実施するための最良の形態】
【００２０】
以下、本発明を適用した具体的な実施の形態について図面を参照しながら詳細に説明する。
【００２１】
「実施の形態１」
図１は、実施の形態１の電解水生成装置の断面図である。
【００２２】
本実施の形態の電解水生成装置は、図１に示すように、陰極１と、この陰極１に対して所定距離を置いて対向配置された陽極２と、前記陰極１と前記陽極２の間に設けられた隔膜３と、陰極１と隔膜３との間に設けられ、原水を入口管４から出口管５へと流通させる陰極流路６とを備え、これら陰極１と陽極２間に電圧を印加して電解水を生成する整水器である。
【００２３】
特に、本実施の形態の電解水生成装置においては、隔膜３を陽極２に近接配置してこれら隔膜３と陽極２間に流路幅の狭い通水路７を設け、陰極流路６を流れる原水の一部を前記隔膜３を通過させ、陽極表面で生成された水素イオンと共に前記原水の一部を、前記通水路７を通して系外へと排水させるようにしている。
【００２４】
隔膜３には、例えばポリテトラフルオロエチレン、ポリエチレンテレフタレート、ポリエチレン等の如き不織布、セラミックなどに通水性を施した膜が用いられる。
【００２５】
陽極２は、例えばＰｔメッキしたチタンメッシュ電極を隔膜３に近接配置させることで、前記隔膜３と陽極２間に流路幅の狭い通水路７を形成する。かかる陽極２と隔膜３を近接配置すれば、当該陽極２と隔膜３間に形成される通水路７の流路幅が狭くなり、それらの間の電解電圧の低減を測ることが可能となる。
【００２６】
陰極１には、例えば平板状の電極を使用する。かかる陰極１と隔膜３との間に形成される陰極流路６には、例えば水道水、河川水、井戸水等の原水が流通する。
【００２７】
通水路７には、陽極２の表面で生成された水素イオンが、陰極流路６を流れる原水（水）の一部と共に流れる。なお、排水路７の流出側には、水素イオンを原水の一部と共に系外へと排水するための排水管８が設けられている。
【００２８】
このように構成された電解水生成装置では、原水は入口管４を通って陰極流路６に入れられる。陰極流路６内で原水は、強制的に隔膜３を一部通水する。このとき、陽極２の表面では、次式（１）のような水の電気分解反応が起き、水素イオンと酸素が生成される。
【００２９】
２Ｈ2 Ｏ→４Ｈ+ ＋Ｏ2 ＋４ｅ-   ・・・（１）式
生成された水素イオン及び酸素は、陰極流路６より隔膜３を強制的に通過して流れる水によって陽極２の表面から除去される。
【００３０】
陰極流路６では、陰極１の表面で、次式（２）のような反応によって水が電気分解される。
【００３１】
４Ｈ2 Ｏ＋４ｅ- →４ＯＨ- ＋２Ｈ2   ・・・（２）式
このとき生成した水素は、陰極流路６を流れる水に部分的に溶解する。また、水素の生成と同時に、水酸化物イオンも生成される。
【００３２】
本実施の形態の場合は、隔膜３を陽極２に近接配置してこれらの間に流路幅の狭い通水路７を設けた構造としたことから、陰極流路６から隔膜３を強制的に通過して流れる水によって陽極２の表面が常に新しい水で洗浄されることになる。その結果、陽極２の表面では、水素イオン濃度が上昇せず、隔膜３の両側でイオン濃度の差が無くなり、電解時に特異なイオン（例えば水素イオン）のみが膜を行き来することを防止できる。したがって、本実施の形態の電解水生成装置によれば、陰極水のｐＨを効率よく変化させることができる。つまり、陰極水のｐＨを、低アルカリから高アルカリの範囲で所望のｐＨ値とすることができる。
【００３３】
通常、アルカリイオン整水器の電解の場合は、陽極２と陰極３の間には中性の隔膜３が設けられており、陽極２、陰極１共に隔膜３に接しておらず、電解電圧は陽極２と隔膜３間の水、陰極１と隔膜３間の水の抵抗分だけ余分に必要となるが、本実施の形態の場合には、隔膜３を陽極２に近接配置しているため、抵抗は陰極１と隔膜３間の水の抵抗のみとなる。
【００３４】
また、通常のアルカリイオン整水器の電解の場合は、排水である陽極水量を絞り、減少させると隔膜３の陽極２側の面の水の滞在時間が長く、特異なイオン（例えば水素イオン）が多くなるため膜を移動し陰極１側に行き易くなる。しかしながら、本実施の形態では、抵抗が少なく流路幅の狭い通水路７を設けたことで、隔膜３を通過して流れる水によって陽極２表面が常に新しい水で洗浄されるから水素イオンが陰極流路６へ流れ込むのを抑制できる。
【００３５】
なお、上記した例では、隔膜３を陽極２に近接配置してこれら隔膜３と陽極２間に流路幅の狭い通水路７を設ける構造としたがこの限りではなく、隔膜３を陰極１に近接配置してこれら隔膜３と陰極１間に流路幅の狭い通水路７を設け、陽極流路を流れる原水の一部を前記隔膜３を通過させ、陰極１表面で生成された水酸化物イオンと共に前記原水の一部を、前記通水路７を通して系外へと排水させるようにしてもよい
このようにすれば、上記した実施の形態と同様、陰極１の表面に生成された水酸化物イオンを陽極流路へ流出させることなく系外へと強制的に排水させることができ、陽極水のｐＨを効率良く変化させることができる。
【００３６】
「実施の形態２」
図２は、実施の形態２の電解水生成装置の断面図である。
【００３７】
実施の形態２においては、陰極流路６の入口或いは出口に、陰極流路内流れる原水の流量を調整する流量調整手段を設け、この流量調整手段によって流路内の内圧を制御して、前記通水路７から排水される排水量を調整する。
【００３８】
具体的には、陰極流路６の出口に流量調整手段として固定オリフィス９或いは流量調整弁（図示は省略する）を設け、この固定オリフィス９または流量調整弁を調整することによって陰極流路６の内圧を調整し、所望の排水量を排水するように制御する。
【００３９】
電解水生成装置では、陰極流路６を原水が流れ、その原水の一部が隔膜３を通水して通水路７へと流れるが、排水の量は隔膜３の孔径により決定される。このため、隔膜３によっては、所望する排水量が得られない場合がある。
【００４０】
これを防ぐため、実施の形態２では、陰極流路６の出口に固定オリフィス９または流量調整弁を設けて、陰極流路６内の内圧を制御し、排水量を所望する値にする。例えば、固定オリフィス９を調整して陰極流路６内の内圧を高めれば、陰極流路６から隔膜３を通して原水が流れ易くなり、隔膜３の両側でイオン濃度の差が無くなり、電解時に特異なイオン（例えば水素イオン）のみが膜を行き来するのを防止することができる。
【００４１】
図２では、陰極流路６の出口に固定オリフィス９を設けたが、この陰極流路６の入口に固定オリフィス９を設けても同様の作用効果が得られる。固定オリフィス９を陰極流路６の出口に設ければ、陰極流路６からの吐水量を調整でき、固定オリフィス９を陰極流路６の入口に設ければ、陰極流路６への流入量を調整できることから、当該陰極流路６内の内圧を可変することができる。
【００４２】
また、図２では、隔膜３を陽極２に近接配置してこれら隔膜３と陽極２間に流路幅の狭い通水路７を設けたがこの限りではなく、隔膜３を陰極１に近接配置してこれら隔膜３と陰極１間に流路幅の狭い通水路７を設け、陽極流路を流れる原水の一部を前記隔膜３を通過させ、陰極１表面で生成された水酸化物イオンと共に前記原水の一部を、前記通水路７を通して系外へと排水させてもよい。隔膜３を陰極１に近接配置した場合は、隔膜３と陽極２間の陽極流路の入口または出口に固定オリフィス９或いは流量調整弁等の流量調整手段を設ける。
【００４３】
このようにすれば、上記した実施の形態と同様、陰極１の表面に生成された水酸化物イオンを陽極流路へ流出させることなく系外へと強制的に排水させることができ、陽極水のｐＨを効率良く変化させることができる。
【００４４】
また、図２では、吐水量を決定する手段として固定オリフィス、流量調整弁等としたがその限りではなく、別途吐水路を設けたり、別の手段にて陰極流路６または陽極流路への流入量を変化させたりしても同様の効果がある。
【００４５】
「実施の形態３」
図３は、実施の形態３の電解水生成装置の断面図である。
【００４６】
実施の形態３においては、通水路７から排水される量を検出する排水量検出手段と、排水量をモニターし、その測定値に応じて流量調整手段を制御して流路内の内圧を制御する調整部とを備える。
【００４７】
具体的には、通水路７に接続される排水管８に、該排水管８を流れる排水量を検出する排水量検出手段としての流量センサー１０を設けると共に陰極流路６の出口に流量調整手段である可変オリフィス１１を設け、陰極流路６内の内圧を制御する調整部であるコントローラ１２にて、該流量センサー１０でモニターした排水量（測定値）に応じて前記可変オリフィス１１を制御し、前記陰極流路６への流入水量または吐水量をコントロールして該陰極流路６の内圧を調整し、所望の排水量となるように調整を行う。
【００４８】
例えば、一般的な水道水では、蛇口の高低差や配管の太さ、浄水場からの距離によって動水圧、静水圧が大きく異なり、これにより陰極流路６内の内圧も違うため、陰極流路６から隔膜３及び陽極２の表面を順次通過する排水量も地域により異なる。これを防ぐため、本実施の形態では、排水管８に取付けた流量センサー１０により排水量をモニターし、測定値によってはコントローラ１２で可変オリフィス１１をコントロールし、陰極流路６内の内圧を制御して排水量を所望する値にする。可変オリフィス１１の調整は、コントローラ１２にて手動で行ってもよく、或いは自動で行ってもよい。
【００４９】
本実施の形態によれば、流量センサー１０で排水量をモニターしながら陰極流路６への流入水量または吐水量を可変オリフィス１１にてコントロールすることで、陰極流路６の内圧を調整して所望の排水量とすることができる。したがって、本実施の形態によれば、排水量の大小によって変動する吐水のｐＨ値を容易且つ任意にコントロールすることができる。
【００５０】
図３では、陰極流路６の出口に可変オリフィス１１を設けたが、この陰極流路６の入口に可変オリフィス１１を設けても同様の作用効果が得られる。
【００５１】
また、図３では、隔膜３を陽極２に近接配置してこれら隔膜３と陽極２間に流路幅の狭い通水路７を設けたがこの限りではなく、隔膜３を陰極１に近接配置してこれら隔膜３と陰極１間に流路幅の狭い通水路７を設け、陽極流路を流れる原水の一部を前記隔膜３を通過させ、陰極１表面で生成された水酸化物イオンと共に前記原水の一部を、前記通水路７を通して系外へと排水させてもよい。隔膜３を陰極１に近接配置させた場合には、隔膜３と陽極２間の陽極流路の入口または出口に可変オリフィス１１或いは流量調整弁等の流量調整手段を設ける。
【００５２】
このようにすれば、上記した実施の形態と同様、陰極１の表面に生成された水酸化物イオンを陽極流路へ流出させることなく系外へと強制的に排水させることができ、陽極水のｐＨを効率良く変化させることができる。
【００５３】
また、図３では、吐水量をコントロールする手段として可変オリフィス１１、流量調整弁等としたがその限りではなく、別途吐水路を設けたり、その他の手段によって陰極流路６または陽極流路への流入量をコントロールしたり、別途信号部を用いて使用者に状況表示して流入量をコントロールさせたりしても同様の効果がある。
【００５４】
「実施の形態４」
図４は、実施の形態４の電解水生成装置の断面図である。
【００５５】
実施の形態４においては、隔膜３に近接配置された陽極２を通水性を有した電極構造とすると共に、陽極２の前記隔膜３との対向面と反対側に排水路１３を設け、隔膜３を通過した原水の一部を前記通水路７を介し、さらに陽極２を通過させて前記排水路１３へと排水させるように構成している。なお、排水路１３の流出端には、系外へ排出させるための配水管８を接続している。
【００５６】
通常、アルカリイオン整水器の電解の場合は、排水である陽極水量を絞り減少させると、隔膜３の陽極２側の面の水の滞在時間が長く、特異なイオン（例えば水素イオン）が多くなるため膜を移動し陰極１側に行き易くなる。これにより、陰極水は、そのｐＨ変化が小さくなる。
【００５７】
本実施の形態では、陽極２で電解により生成された水素イオンや酸素を含む水を当該陽極２と隔膜３の近接面から取り除き易くするために陽極２自身に通水性を持たせるメッシュ電極（例えば、チタンメッシュの片面若しくは両面にＰｔ、Ａｕなどの貴金属をメッキまたは塗布した電極）からなる電極構造とする。つまり、非通水性の電極の場合は、水素イオンや酸素が排水時に電極表面上を排水口まで流れる時間が存在するが、通水性電極の場合は、電解を受けた場所に最も近い通水孔（電極メッシュ）から陽極２を通過させて取り除くことができる。
【００５８】
本実施の形態によれば、隔膜３を通過した原水の一部が通水路７を介してさらに陽極２を通過して排水路１３へと流れる水の通路が形成されるので、水素イオンを含む水を排水路１３へと排水することができ、排水管８から系外へと効率良く排水させることができる。したがって、本実施の形態の電解水生成装置によれば、効率良くｐＨを変化させた陰極水を吐水することができる。
【００５９】
図４では、隔膜３を陽極２に近接配置してこれら隔膜３と陽極２間に流路幅の狭い通水路７を設けたがこの限りではなく、隔膜３を陰極１に近接配置してこれら隔膜３と陰極１間に流路幅の狭い通水路７を設け、陽極流路を流れる原水の一部を前記隔膜３を通過させ、陰極１表面で生成された水酸化物イオンと共に前記原水の一部を、前記通水路７を通し、さらにメッシュ電極とした陰極１を通過させて排水路１３へと排水させてもよい。
【００６０】
このようにすれば、上記した実施の形態と同様、陰極１の表面に生成された水酸化物イオンを陽極流路へ流出させることなく系外へと強制的に排水させることができ、陽極水のｐＨを効率良く変化させることができる。
【００６１】
また、上記した実施の形態では、通水性を有した電極構造（通水性電極）としてメッシュ電極を例にとり説明したがこの限りでは無く、メッキ電極、ハニカム電極、グレーティング電極、パンチングメタル電極、多孔質電極等を用いることができる。また、排水量については、吐水量によって変化するものであり、この限りではない。
【００６２】
「実施の形態５」
図５は、実施の形態５の電解水生成装置の断面図である。
【００６３】
実施の形態５においては、隔膜３に近接配置された陽極２の裏面に、通水性の導電性剛性部材１４を重ねて設ける。具体的には  線経の太いメッシュやグレーティング、パンチングメタル、多孔質体からなる通水性の導電性剛性部材１４を、隔膜３との対向面とは反対側の陽極裏面に重ねることで、通水性電極の剛性及び電気伝導性を高めている。
【００６４】
隔膜３と近接配置される通水性電極（この例の場合は陽極２）は、その孔径を小さくすると電流密度が小さくなり電解効率が良くなると考えられるが、例えばメッシュ電極の場合に孔径を小さくすると、用いる線の径を細くする必要がある。そのため、メッシュ電極は、剛性が無く、水の抵抗により大きく変形してしまう。
【００６５】
しかしながら、本実施の形態によれば、隔膜３に近接配置された陽極２の裏面に金属導体、有機導電体の線経の太いメッシュやグレーティング、パンチングメタル、多孔質体などからなる通水性の導電性剛性部材１４を重ねて設けたことで、陽極２を補強できると同時にメッシュ電極に均一に電流を流すことができる。
【００６６】
図５では、隔膜３を陽極２に近接配置してこれら隔膜３と陽極２間に流路幅の狭い通水路７を設けたがこの限りではなく、隔膜３を陰極１に近接配置してこれら隔膜３と陰極１間に流路幅の狭い通水路７を設け、陽極流路を流れる原水の一部を前記隔膜３を通過させ、陰極１表面で生成された水酸化物イオンと共に前記原水の一部を、前記通水路７を通し、さらに陰極１並びに陰極裏面に重ねた設けた導電性剛性部材１４を通過させて排水路１３へと排水させてもよい。
【００６７】
このようにすれば、上記した実施の形態と同様、陰極１の表面に生成された水酸化物イオンを陽極流路へ流出させることなく系外へと強制的に排水させることができ、陽極水のｐＨを効率良く変化させることができる。
【００６８】
「実施の形態６」
図６は、実施の形態６の電解水生成装置の断面図である。
【００６９】
実施の形態６においては、実施の形態４の構成に加えて、陽極２と隔膜３の間に形成された通水路７と、陽極裏面に設けられた排水路１３にそれぞれ原水を流通させるための入水管１５と排水管８を設ける。具体的には、陽極２と隔膜３との間に形成された通水路７を流れる排水と、通水性電極構造の陽極２を通過して排水路１３へと流れる排水を効率よく系外へ取り除くために、水道水、河川水、井戸水等を連続的に供給するための入水管１５と排水管８を、前記通水路７と排水路１３に跨るようにして接続し、その入水管１５から水道水などを連続的に入水させる。
【００７０】
なお、本実施の形態では、通水路７及び排水路１３に下から上へと流水を流すため、図６中下側に入水管１５を設けると共に上側に排水管８を設けている。
【００７１】
本実施の形態によれば、陽極２の表面で生成された水素イオン並びに陽極２を通過して排水路１３へと流れ込んだ水素イオンは、入水管１５より流入された流水によって排水管８へと排水されるため、効率良くｐＨを変化させた陰極水を吐水することができる。
【００７２】
図６では、隔膜３を陽極２に近接配置してこれら隔膜３と陽極２間に流路幅の狭い通水路７を設けたがこの限りではなく、隔膜３を陰極１に近接配置してこれら隔膜３と陰極１間に流路幅の狭い通水路７を設け、陽極流路を流れる原水の一部を前記隔膜３を通過させ、陰極１表面で生成された水酸化物イオンと共に前記原水の一部を、前記通水路７を通し、さらに陰極１を通過させて排水路１３へと排水させてもよい。そして、同様に、通水路７と排水路１３に流水を流す。
【００７３】
このようにすれば、上記した実施の形態と同様、陰極１の表面に生成された水酸化物イオンを陽極流路へ流出させることなく系外へと強制的に排水させることができ、陽極水のｐＨを効率良く変化させることができる。
【００７４】
また、図６では、通水路７及び排水路１３に下から上へと水道水などを流水させたがこの限りではなく、上から下、下から真ん中、真ん中から上下、手前から奥、奥から手前などの流水経路が考えられる。
【００７５】
「実施の形態７」
図７は、実施の形態７の電解水生成装置の断面図である。
【００７６】
実施の形態７においては、実施の形態４の構成に加えて陰極流路６の出口から吐水された電解水の一部を、陽極２と隔膜３の間に形成された通水路７と、陽極裏面に設けた排水路１３へと供給するための分岐管１６を設ける。具体的には、陽極２と隔膜３との間に形成された通水路７を流れる排水と、通水性電極構造の陽極２を通過して排水路１３へと流れる排水を効率よく系外へ取り除くために、陰極流路６で電解され吐水された電解水（陰極水）の一部を、通水路７と排水路１３の上部にそれぞれ跨るようにして接続された分岐管１６を通してこれら通水路７と排水路１３に供給する。
【００７７】
本実施の形態によれば、電解時には陰極流路６で電解された電解水が分岐管１６を通って前記通水路７と排水路１３に流れ、当該通水路７及び排水路７を上部から下部へと流れるので、陽極２の表面に生成された水素イオンはこの流水（電解水）と一緒に排水管８から系外へ排水される。したがって、本実施の形態によれば、効率良くｐＨを変化させた電解水（陰極水）を吐水することができる。
【００７８】
図７では、隔膜３を陽極２に近接配置してこれら隔膜３と陽極２間に流路幅の狭い通水路７を設けたがこの限りではなく、隔膜３を陰極１に近接配置してこれら隔膜３と陰極１間に流路幅の狭い通水路７を設け、陽極流路を流れる原水の一部を前記隔膜３を通過させ、陰極１表面で生成された水酸化物イオンと共に前記原水の一部を、前記通水路７を通し、さらに陰極１を通過させて排水路１３へと排水させてもよい。そして、同様に、陽極流路から吐水される電解水の一部を、分岐管１６を通して通水路７と排水路１３に流す。
【００７９】
このようにすれば、上記した実施の形態と同様、陰極１の表面に生成された水酸化物イオンを陽極流路へ流出させることなく系外へと強制的に排水させることができ、陽極水のｐＨを効率良く変化させることができる。
【００８０】
また、図７では、排水路１３に上から下へと電解水の一部を流水させたがこの限りではなく、下から上、上下から真ん中、真ん中から上下、手前から奥、奥から手前などの流水経路が考えられる。
【図面の簡単な説明】
【００８１】
【図１】実施の形態１の電解水生成装置の断面図である。
【図２】実施の形態２の電解水生成装置の断面図である。
【図３】実施の形態３の電解水生成装置の断面図である。
【図４】実施の形態４の電解水生成装置の断面図である。
【図５】実施の形態５の電解水生成装置の断面図である。
【図６】実施の形態６の電解水生成装置の断面図である。
【図７】実施の形態７の電解水生成装置の断面図である。
【符号の説明】
【００８２】
１…陰極
２…陽極
３…隔膜
４…入口管
５…出口管
６…陰極流路
７…通水路
８…排水管
９…固定オリフィス（流量調整手段）
１０…流量センサー（排水量検出手段）
１１…可変オリフィス（流量調整手段）
１２…コントローラ（調整部）
１３…排水路
１４…導電性剛性部材
１５…入水管
１６…分岐管
【図１】
2007090147.tif 000003
【図２】
2007090147.tif 000004
【図３】
2007090147.tif 000005
【図４】
2007090147.tif 000006
【図５】
2007090147.tif 000007
【図６】
2007090147.tif 000008
【図７】
2007090147.tif 000009